(57)【要約】この発明によるＲＦ電力増幅器は、電源装置に接続された複数の並列出力トランジスタ（ＨＢＴ，１，１ないしＨＢＴ，１，Ｎ）を備える。出力トランジスタ（ＨＢＴ，１，１ないしＨＢＴ，１，Ｎ）用の複数のベース抵抗（Ｒｂ，１，１ないしＲｂ，１，Ｎ）および複数の入力キャパシタ（Ｃｂ，１ないしＣｂ，Ｎ）が提供され、これらはそれぞれＲＦ信号入力を受信するために並列に結合されると共に、少なくとも１つの追加の受動構成要素を介して各々の対応する出力トランジスタ（ＨＢＴ，１，１ないしＨＢＴ，１，Ｎ）の入力へと接続されている。ＲＦ出力信号用の出力は、複数の出力トランジスタの並列接続から得られる。これらのトランジスタ（ＨＢＴ，１，１ないしＨＢＴ，１，Ｎ）は、ヘテロ接合バイポーラトランジスタである。
2005526439.tif 000002
【特許請求の範囲】
【請求項１】
それぞれが制御電極、第１主電極、第２主電極を有する複数の増幅素子を備え、これにより、前記増幅素子の第１主電極は共通出力ノードに結合され、前記増幅素子の第２主電極は共通参照ノードに結合され、前記増幅素子の個々の前記制御端子は個別の入力キャパシタを介して共通無線周波数信号入力ノードに結合されると共に個別のベース抵抗を介して共通バイアスノードに結合された無線周波数電力増幅器において、
前記複数の増幅素子の個々の前記制御端子は、前記個別の入力キャパシタに結合されると共に個別の追加受動構成要素を介して前記個別のベース抵抗に結合されていることを特徴とする無線周波数電力増幅器。
【請求項２】
前記追加受動構成要素は、追加抵抗であることを特徴とする請求項１に記載の無線周波数電力増幅器。
【請求項３】
前記追加抵抗は、対応する前記ベース抵抗のインピーダンスについて小さいインピーダンスを有することを特徴とする請求項２に記載の無線周波数電力増幅器。
【請求項４】
前記追加抵抗に対して、並列におよび／または直列に更なる追加受動構成要素が設けられていることを特徴とする請求項２または請求項３の何れかに記載の無線周波数電力増幅器。
【請求項５】
前記増幅素子は、ヘテロ接合バイポーラトランジスタであることを特徴とする請求項１ないし請求項４の何れかに記載の無線周波数電力増幅器。
【発明の詳細な説明】
【技術分野】
【０００１】
この発明は、それぞれが制御電極、第１の主電極、第２の主電極を有する複数の増幅素子を備える無線周波数［Radio Frequency―ＲＦ―］電力増幅器に関し、これにより、前記複数の増幅素子の前記第１の主電極が共通の出力ノードに結合され、前記複数の増幅素子の前記第２の主電極が共通の参照ノードに結合され、前記複数の増幅素子のそれぞれの制御電極は、それぞれの入力キャパシタを介して共通の無線周波数信号入力ノードに結合されると共に、それぞれのベース抵抗を介して共通のバイアスノードに結合された電力増幅器に関する。
【背景技術】
【０００２】
米国特許第５，６２９，６４８号は、ヘテロ接合バイポーラトランジスタを備える無線周波数（ＲＦ）電力増幅器回路を開示しており、これは、ベースエミッタ電圧を有する第１のトランジスタ；電源装置およびこの電源装置に接続された電源抵抗を有し、第１のトランジスタのベース−エミッタ電圧に等しい合成電圧を生成する前記第１のトランジスタを介してＤＣ電流を流させるようにしている。少なくとも２つの多数のベース抵抗および少なくとも２つの出力トランジスタが提供され、それぞれが、その対応する多数のベース抵抗を介して合成電圧を受け入れている。ＲＦ信号入力を受信するためにそれぞれが並列に結合されると共に、それぞれの対応する出力トランジスタの入力に接続された、少なくとも２つの入力キャパシタは、ＲＦ信号入力に接続された共通の入力を有すると共に、互いにＤＣ分離される共に各出力トランジスタに接続された個別の出力を有している。ＲＦ出力信号は、それぞれのトランジスタが接地に接続されて提供された複数の出力トランジスタの並列接続から得られる。
【０００３】
ヘテロ接合バイポーラトランジスタは、ＲＦ（無線周波数）電力増幅器への適用に適している。一般的に言えば、大量の電力は、電力装置内で浪費されている。熱を充分に拡散させるために、したがって、建設的な破壊を避けて、このような電力増幅器は具体的にはたくさんの小さな出力トランジスタセルを大きな半導体領域上に均一に分散させることにより形成されている。全てのセルは、半導体材料（ＳｉまたはＧａＡｓ）の断片上で加工されて、それらが並列に動作するように接続されている。このようにして、多くの小さな装置が高い電力レベルを生成する。このような増幅器の２つの公知の問題は、それらの電気的な安定性と線形性である。
【発明の概要】
【０００４】
この発明の目的は、改善された安定性を有するトランジスタＲＦ電力増幅器を提供することにある。
【０００５】
この目的を達成するため、この発明は、冒頭の段落に記載された無線周波数電力増幅器において、増幅素子のそれぞれの制御電極が、前記個別のキャパシタに結合されると共に個別の追加受動構成要素にを介して前記個別のベース抵抗に結合されていることを特徴とする無線周波数電力増幅器を提供する。
【０００６】
この発明に係るＲＦ電力増幅器の更なる有利点は改善された線形性である。
【０００７】
この発明に係る無線周波数電力増幅器の追加の有利な特徴は、従属請求項に記載されている。
【０００８】
これらおよび種々の他の利点およびこの発明を特徴付ける新規な特徴は、特許請求緒範囲に詳細に開示されている。しかしながら、この発明、その有利な点、その使用により達成される目的のより良い理解のために、この明細書の一部分をもまた構成する図面、および添付の説明が参照され、添付図面と共にこの発明の好適な実施形態が明らかとなる。
【発明の詳細な説明】
【０００９】
図１はＲＦ電力増幅器回路を示しており、この回路は、ヘテロ接合バイポーラトランジスタＨＢＴ，１，１ないしＨＢＴ，１，Ｎと、バイアス端子で電源装置に順次に接続されるベース抵抗Ｒｂ，１，１ないしＲｂ，１，Ｎに接続されたベース端子とを備えている。入力キャパシタＣｂ，１ないしＣｂ，Ｎはそれぞれ、ＲＦ信号入力を受け入れるために並列に結合されると共に、追加抵抗Ｒｂ，２，１ないしＲｂ，２，Ｎを介して、個々の対応する出力トランジスタＨＢＴ，１，１ないしＨＢＴ，１，Ｎの個別の入力へと結合されている。入力キャパシタＣｂ，１ないしＣｂ，Ｎは、ＲＦ信号入力端子ＲＦｉｎに接続された１つの端子を有している。入力キャパシタＣｂ，１ないしＣｂ，Ｎの他の端子は、互いにＤＣ分離絶縁されて、追加抵抗Ｒｂ，２，１ないしＲｂ，２，Ｎを介して、個々の対応する出力トランジスタＨＢＴ，１，１ないしＨＢＴ，１，Ｎに接続されている。ＲＦ出力信号は、出力トランジスタＨＢＴ，１，１ないしＨＢＴ，１，Ｎの並列接続から得られている。
【００１０】
抵抗Ｒｂ，２，１ないしＲｂ，２，Ｎの追加は、回路全体の安定にとって積極的な効果を有している。安定化の効果を演算するために、所謂安定性Ｋ因数が、図２に概略的に示されるように、演算され、ヘテロ接合バイポーラトランジスタＲＦ電力増幅器は２４のセル（Ｎ＝２４）より構成され、各セルは、Ｒｂ，１と、Ｒｂ，２と、Ｃｂとを有する。
【００１１】
安定性に関する追加抵抗の影響を評価するために、以下のシミュレーションが実行される。比率Ｒｂ，２／Ｒｂ，１＋Ｒｂ，２は、合計Ｒｂ，１＋Ｒｂ，２を定数として維持しながら変化させられる。この合計Ｒｂ，１＋Ｒｂ，２は、同一の温度での安定性を保持するために一定に維持される。図２は、Ｋ因数と周波数とを対比したグラフであり、ここでパラメータｘは０から０．０５まで変化させられて、中間値はｘ＝０．０１，ｘ＝０．０２，ｘ＝０．０３，およびｘ＝０．０４である。安定性に関する抵抗Ｒｂ，２の効果はこのようにして実証される。
【００１２】
Ｒｂ，２の値を増加させたときに、Ｋ因数が１での周波数は低くなる。もしもＫ因数が１よりも大きくなったならば、この装置は安定する。そこで、Ｒｂ，２を追加してその値を増加させることにより、この装置は一層安定するようになる。このことは、抵抗Ｒｂ，２を追加した利益を示す安定サークルを伴うスミスチャート（図）を示す図３の安定サークルにより実証されている。負荷安定サークル［load stability circles］に関連して、パラメータｘは、０から０．０５まで変化させられて、中間値はｘ＝０．０１，ｘ＝０．０２，ｘ＝０．０３，およびｘ＝０．０４となる。電源安定サークル［source stability circles］に関連して、パラメータｘは０から０．０５まで変化させられて、中間値は、ｘ＝０．０１，ｘ＝０．０２，ｘ＝０．０３，およびｘ＝０．０４となる。Ｒｂ，２の値を増加させることは、この安定サークルをより小さくさせて、この装置が安定性に関する悪影響を有する入力インピーダンス変化に対して感度を下げるようになることを示している。
【００１３】
抵抗Ｒｂ，２の回路への追加は、他の電気的なパラメータ、最も著しいものとしては、電気的ゲインおよび電力付加効率についての効果を有している。改善された安定性と線形性との間の良好な交換条件［trade-off］の価値を評価するために、ゲイン・電力付加効率がＲｂ，１に関するＲｂ，２の値の関数として演算される。このシミュレーションは、ＧＳＭ（Global System for Mobile communications―移動体通信用グローバルシステム―）およびＤＣＳ（Digital Cellular System―ディジタル・セルラ・システム―）の移動電話に具体的に用いられる電力レベルを生成可能な２つの電源装置のために行なわれる。
【００１４】
図４および図５は、９００ＭＨｚと１８００ＭＨｚの周波数帯域での電気的ゲイン・電力付加効率におけるＲｂ，２の値の効果を示している。これらの図面より、電気的ゲイン電力付加効率の効果は、もしも抵抗Ｒｂ，２の値が低ければ、低いことは明らかである。したがって、抵抗Ｒｂ，２の付加は、安定性に関しては改善を提供すると共に、ヘテロ接合バイポーラトランジスタ技術を用いるＲＦ電力増幅器を設計する際に自由度を付加する度合いを許容する。
【００１５】
一方では安定性と線形性との間の交換条件を、他方では電気的ゲイン・電力付加効率を最適化する更なる改善は、抵抗Ｒｂ，２に対して並列に、および／または、直列に、付加受動抵抗構成要素を追加することにより、または、抵抗Ｒｂ，２に対して並列に付加受動容量構成要素を追加することにより、達成することができる。
【００１６】
この明細書に記載されたこの発明の実施形態は、図解例証する意味で採用され、この発明を制限する意味では用いられていない。種々の変形例は、特許請求の範囲に定義されたこの発明の範囲から逸脱することなしに、この技術における熟練者によりこれらの実施形態に対してなされるであろう。
【図面の簡単な説明】
【００１７】
【図１】この発明の実施形態によるＲＦ電力増幅器回路を示す回路図である。
【図２】図１のＲＦ電力増幅器の安定性における追加の抵抗の積極的な効果を明らかにするグラフである。
【図３】安定サークルを有し、また図１のＲＦ電力増幅器回路の安定性に関する追加の積極的効果を表すスミス図である。
【図４】９００ＭＨｚ周波数帯域での効率を付加された電気的なゲインおよび電力のＲｂ，２の値の効果を示す特性図である。
【図５】１８００ＭＨｚ周波数帯域での効率を付加された電気的なゲインおよび電力のＲｂ，２の値の効果を示す特性図である。
【図１】
2005526439.tif 000003
【図２】
2005526439.tif 000004
【図３】
2005526439.tif 000005
【図４】
2005526439.tif 000006
【図５】
2005526439.tif 000007
【国際調査報告】
2005526439.tif 000008
2005526439.tif 000009